(57)【特許請求の範囲】
【請求項１】
第１の袖部、第１の本体部、背部、第２の本体部、及び第２の袖部がこの順に連設されてなる書籍用ジャケットであって、
前記第１の袖部及び前記第２の袖部の少なくとも一方は、当該袖部の天側の領域ではなく地側の領域のみにおいて、天地方向に延在するように設けられた舌片部を備え、
前記舌片部は、地側を基端とし当該袖部の面の手前側又は奥側に動く可動部を天側へ向けて延在して有し、
前記可動部は、天地方向の長さが、前記基端と当該袖部の地側の縁との間の距離よりも長い、書籍用ジャケット。
【請求項２】
前記舌片部は、前記基端として、当該袖部の面内方向のうち天地方向に垂直な方向に延びる第１の折り目形成部を有し、
前記舌片部は、前記第１の折り目形成部よりも天側の前記可動部内において、前記第１の折り目形成部と平行に延びる第２の折り目形成部を有し、
前記舌片部は、前記第１の折り目形成部及び前記第２の折り目形成部で山折り又は谷折りを選択して折り曲げた場合に、前記可動部の天側の端部を、当該袖部の地側の縁を乗り越えて当該袖部の反対側の面に回り込ませることが可能である、請求項１記載の書籍用ジャケット。
【請求項３】
前記舌片部は、
前記第１の折り目形成部に沿って前記第１の折り目形成部上に設けられた第１の折り目形成ガイドと、
前記第２の折り目形成部に沿って前記第２の折り目形成部上に設けられた第２の折り目形成ガイドと、を有し、
前記第１の折り目形成ガイドと前記第２の折り目形成ガイドとの間の距離は、前記第１の折り目形成ガイドと当該書籍用ジャケットが書籍本体に装着された際の当該書籍本体の表表紙又は裏表紙の地側の辺との間の距離に等しい、請求項２記載の書籍用ジャケット。
【請求項４】
前記舌片部は、当該袖部の一部からなり、当該袖部に設けられた孔、切込み、スリット及びミシン目からなる群より選ばれる少なくとも一つにより当該袖部内の他の領域と画されて形成されたものである、請求項１〜３いずれか一項記載の書籍用ジャケット。
【請求項５】
前記孔、切込み、スリット及びミシン目からなる群より選ばれる少なくとも一つは、前記可動部を包囲するように連続して延びている、請求項４記載の書籍用ジャケット。
【請求項６】
前記孔、切込み、スリット及びミシン目からなる群より選ばれる少なくとも一つは、前記可動部を包囲するように連続して延び、且つ、少なくとも一箇所で不連続な部分を有する、請求項４記載の書籍用ジャケット。
【請求項７】
前記舌片部は、当該袖部に固定された固定部を有する部材からなり、
前記可動部は、前記基端を介して前記固定部から連設され天側へ向けて延在し、当該袖部の面の前記舌片部が固定された側に動く、請求項１〜３のいずれか一項記載の書籍用ジャケット。
【請求項８】
請求項１記載の書籍用ジャケットが書籍本体に装着された、書籍。
【請求項９】
請求項２又は３記載の書籍用ジャケットが書籍本体に装着された、書籍。
【請求項１０】
前記舌片部が、前記第１の折り目形成部及び前記第２の折り目形成部のいずれでも山折り又は谷折りを選択して折り曲げられており、
前記可動部の天側の端部が、当該袖部に連設された前記第１の本体部又は前記第２の本体部と書籍本体の表表紙又は裏表紙との間に挟まれており、
前記書籍本体の表表紙又は裏表紙が、前記可動部の天側の端部と当該袖部との間に挟まれている、請求項９記載の書籍。
【請求項１１】
前記書籍本体は、並製本である、請求項８〜１０のいずれか一項記載の書籍。
【発明の詳細な説明】
【技術分野】
【０００１】  本発明は、書籍用ジャケット、及び、書籍に関する。
【背景技術】
【０００２】  書店で販売されている書籍は、一般に、書籍本体に書籍用ジャケットが装着されて成っている。書籍本体と書籍用ジャケットとは互いに別部材であり、書籍の製作過程では、書籍本体の製本後、これに書籍用ジャケットが装着されて、商品としての書籍が完成する。このような書籍において、書籍用ジャケットは書籍本体に被せてあるのみであり、必ずしも書籍本体に密着していない。このため、書籍を読んでいる最中に書籍本体と書籍用ジャケットとが互いに天地方向にずれてきて、読者が煩わしい思いをすることがある。【０００３】  書籍本体と書籍用ジャケットとのずれを防止するものとして、袖部に外れ止め部を設けた書籍用ジャケットが知られている（例えば、特許文献１参照）。ここでは、表表紙側及び裏表紙側の両方の袖部の天側及び地側、合計四か所に設けられた外れ止め部の先端部分を、表表紙側及び裏表紙側に回り込むように折り曲げることによって、書籍用ジャケットが書籍本体から外れたりずれたりすることを防止している。
【先行技術文献】
【特許文献】
【０００４】
【特許文献１】実開平２−１５０２７２号公報
【発明の概要】
【発明が解決しようとする課題】
【０００５】  しかしながら、上記書籍用ジャケットでは、四か所に外れ止め部を設けるため、製造に手間がかかりコストも嵩む。また、特に天側に設けられた外れ止め部は、袖部に印刷された情報を読み取るのに邪魔となる。【０００６】  そこで本発明は、書籍本体と書籍用ジャケットとの天地方向のずれを防止するとともに、製造の手間を抑えた低コストで、且つ、袖部に印刷された情報を読み取るのに邪魔になりにくい書籍用ジャケットを提供することを目的とする。また、当該書籍用ジャケットが装着された書籍を提供することを目的とする。
【課題を解決するための手段】
【０００７】  本発明の書籍用ジャケットは、第１の袖部、第１の本体部、背部、第２の本体部、及び第２の袖部がこの順に連設されてなる書籍用ジャケットであって、第１の袖部及び第２の袖部の少なくとも一方は、当該袖部の天側の領域ではなく地側の領域のみにおいて、天地方向に延在するように設けられた舌片部を備え、舌片部は、地側を基端とし当該袖部の面の手前側又は奥側に動く可動部を天側へ向けて延在して有し、可動部は、天地方向の長さが、基端と当該袖部の地側の縁との間の距離よりも長くなるように構成されている。【０００８】  この書籍用ジャケットによれば、舌片部の可動部の天地方向の長さが、可動部の基端と袖部の地側の縁との間の距離よりも長いため、書籍用ジャケットを書籍本体に取り付けた際に、可動部の天側の端部が書籍本体の表表紙側及び裏表紙側に回り込むように舌片部を折り曲げることができる。これにより、書籍本体の表表紙及び裏表紙の地側の縁が書籍用ジャケットの地側の縁から地側にはみ出すことが防止される。すなわち、書籍本体と書籍用ジャケットとの天地方向のずれを防止することができる。また、一般に書籍用ジャケットの袖部には、書籍の内容紹介文や著者のプロフィール文が掲載される場合がある。このとき、当該掲載文は袖部の天側の領域に収まっていることが多く、当該掲載文は必ずしも地側の領域にまで達していない。このため、袖部に印刷された情報を読み取るのに舌片部が邪魔になりにくい。また、舌片部は第１の袖部及び第２の袖部の少なくとも一方の地側のみに設ければよく、天側には設けないため、製造の手間が抑えられ、低コストでもある。【０００９】  ここで、舌片部は、基端として、当該袖部の面内方向のうち天地方向に垂直な方向に延びる第１の折り目形成部を有し、舌片部は、第１の折り目形成部よりも天側の可動部内において、第１の折り目形成部と平行に延びる第２の折り目形成部を有し、舌片部は、第１の折り目形成部及び第２の折り目形成部で山折り又は谷折りを選択して折り曲げた場合に、可動部の天側の端部を、当該袖部の地側の縁を乗り越えて当該袖部の反対側の面に回り込ませることが可能であることが好ましい。これによれば、第１の折り目形成部及び第２の折り目形成部がいずれも天地方向に垂直な方向に延びているため、当該折り目形成部で山折り又は谷折りを選択して折り曲げて可動部の天側の端部を袖部の地側の縁を乗り越えて当該袖部の反対側の面に回り込ませる場合に、外観の形状良く可動部の天側の端部を収めることができる。【００１０】  また、舌片部は、第１の折り目形成部に沿って第１の折り目形成部上に設けられた第１の折り目形成ガイドと、第２の折り目形成部に沿って第２の折り目形成部上に設けられた第２の折り目形成ガイドと、を有し、第１の折り目形成ガイドと第２の折り目形成ガイドとの間の距離は、第１の折り目形成ガイドと当該書籍用ジャケットが書籍本体に装着された際の当該書籍本体の表表紙又は裏表紙の地側の辺との間の距離に等しいことが好ましい。折り目形成ガイドは、舌片部を折り曲げやすくするための構造であるため、これによれば、上記山折り及び谷折りを適切な位置で容易に行うことができる。そして、第１の折り目形成ガイドと第２の折り目形���ガイドとの間の距離、及び、第１の折り目形成ガイドと書籍用ジャケットが書籍本体に装着された際の当該書籍本体の表表紙又は裏表紙の地側の辺との間の距離が互いに等しいことにより、第２の折り目ガイドでの折り曲げ位置が、書籍用ジャケットの地側の縁の位置に一致する。これによれば、書籍の地側における可動部のはみ出しが最小となるため、外観の見栄えが良いし、書籍を本棚等に立てて収納する際に邪魔になりにくい。【００１１】  舌片部は、当該袖部の一部からなり、当該袖部に設けられた孔、切込み、スリット及びミシン目からなる群より選ばれる少なくとも一つにより当該袖部内の他の領域と画されて形成されたものであることが好ましい。この場合、舌片部を設けるための他の部材が不要であるため製造しやすく、省資源でもある。【００１２】  ここで、孔、切込み、スリット及びミシン目からなる群より選ばれる少なくとも一つは、可動部を包囲するように連続して延びていることが好ましい。これによれば、本発明の書籍用ジャケットが装着された書籍の読者が、舌片部及びその可動部が書籍用ジャケットの袖部に設けられていることを容易に認識することができる。【００１３】  また、孔、切込み、スリット及びミシン目からなる群より選ばれる少なくとも一つは、可動部を包囲するように連続して延び、且つ、少なくとも一箇所で不連続な部分を有することも好ましい。当該不連続な部分を有していると、舌片部にまだ折り目を付けていないときに（例えば、書店で陳列されている書籍を客が手に取ったときに）、舌片部の可動部がヒラヒラ動いて不意に無用の折り目がついたり破れたりすることが防止される。【００１４】  また、舌片部は、当該袖部に固定された固定部を有する部材からなり、可動部は、基端を介して固定部から連設され天側へ向けて延在し、当該袖部の面の舌片部が固定された側に動くものであってもよい。この場合、袖部の資材の都合に関わらず、舌片部を袖部とは別の部材として用意するため、可動部の強度等に関する設計の自由度が高い。【００１５】  本発明はまた、上記書籍用ジャケットが書籍本体に装着された書籍を提供する。【００１６】  この書籍においては、舌片部に折り目が形成されていない状態であってもよい。また、この書籍においては、前記舌片部が、前記第１の折り目形成部及び前記第２の折り目形成部のいずれでも山折り又は谷折りを選択して折り曲げられており、可動部の天側の端部が、当該袖部に連設された第１の本体部又は第２の本体部と書籍本体の表表紙又は裏表紙との間に挟まれており、書籍本体の表表紙又は裏表紙が、可動部の天側の端部と当該袖部との間に挟まれている状態（以下、このように書籍用ジャケットを単に書籍本体に装着させただけでなく、舌片部を折り曲げて本発明の書籍用ジャケットがその機能を発揮する状態となっている状態を「使用状態」という。）であってもよい。【００１７】  上記書籍本体は、並製本であることが好ましい。並製本は表紙が柔らかく、書籍を読んでいる最中は、読者の手の中で、表紙が書籍用ジャケットとともに反った状態であるのが通常である。書籍用ジャケットの使用状態にあっては、舌片部の可動部が表紙の反りに追従して反ることになる。このため、読書中に可動部が��り戻されて使用状態が解除されてしまうことが防止される。
【発明の効果】
【００１８】  本発明によれば、書籍本体と書籍用ジャケットとの天地方向のずれを防止するとともに、製造の手間を抑えた低コストで、且つ、袖部に印刷された情報を読み取るのに邪魔になりにくい書籍用ジャケットを提供することができる。また、当該書籍用ジャケットが装着された装着された書籍を提供することができる。
【図面の簡単な説明】
【００１９】
【図１】第１の実施形態の書籍用ジャケットの平面図である。（ａ）は表面を示しており、（ｂ）は裏面を示している。
【図２】（ａ）は第１の袖部の拡大図である。（ｂ）は第１の袖部の斜視図であって可動部を手前側に動かした様子を示す図である。（ｃ）は（ｂ）のＩＩｃ−ＩＩｃ断面図である。（ｄ）は（ｃ）から更に可動部を完全に折り曲げた様子を示す図である。
【図３】（ａ）は書籍用ジャケットが装着された書籍である。（ｂ）は舌片部を操作している場面である。（ｃ）は書籍用ジャケットの使用状態を示す図である。（ｄ）は（ｃ）のＩＩＩｄ−ＩＩＩｄ断面図である。
【図４】舌片部の変形例を示す図である。
【図５】舌片部の他の変形例を示す図である。
【図６】舌片部の他の変形例を示す図である。
【図７】舌片部の他の変形例を示す図である。
【図８】使用状態の変形例を示す図である。
【図９】第２の実施形態の書籍用ジャケットの平面図である。（ａ）は表面を示しており、（ｂ）は裏面を示している。
【図１０】（ａ）は第１の袖部の拡大図である。（ｂ）は第１の袖部の斜視図であって可動部を手前側に動かした様子を示す図である。（ｃ）は（ｂ）のＸｃ−Ｘｃ断面図である。（ｄ）は（ｃ）から更に可動部を完全に折り曲げた様子を示す図である。
【発明を実施するための形態】
【００２０】  以下、本発明の好適な実施形態について詳細に説明する。なお、参照する図面においては同一部分又は相当部分には同一符号を付し、重複する説明は省略する。また、図面は発明の特徴を理解しやすくするべく寸法比率を調整して描かれており、実際の物品の寸法比率を反映したものではない。
【００２１】［用語の定義］
本明細書で使用する用語について、以下のとおり定義する。
【００２２】・「書籍」とは、以下に説明する「書籍本体」に「書籍用ジャケット」が装着されたものをいう。一般に書店で陳列及び販売されているのは、この「書籍」の状態である。
【００２３】・「書籍本体」とは、上製本及び並製本等そのものをいう。
・「表紙」とは、書籍本体の表表紙（おもてびょうし）及び裏表紙（うらびょうし）の双方を指す。一般に、本文用に使用される紙よりも厚い紙が用いられている。
【００２４】・「書籍用ジャケット」とは、書籍本体に装着させるシート状乃至フィルム状のものをいう。「書籍用ジャケット」は、一般に「表紙カバー」、「カバー」等と呼ばれることもあるものである。材質は一般に、紙又は樹脂である。「書籍用ジャケット」は、商品である書籍の一部であり、読んでいる書籍の書名を隠す等の目的で書籍に対して更に被せられる「ブックカバー」とは異なる物品であることに注意されたい。
・書籍用ジャケットの「袖部」とは、書籍用ジャケットの天地方向に垂直な方向における両端部であって、書籍用ジャケットを書籍本体に装着させた際に書籍本体の表表紙の裏側及び裏表紙の裏側（一般に、それぞれ「表２」及び「表３」と呼ばれている部分）に回り込む部分をいう。
・書籍用ジャケットの「本体部」とは、書籍用ジャケットを書籍本体に装着させた際に書籍本体の表表紙及び裏表紙の平の部分に対向する部分をいう。
・書籍用ジャケットの「背部」とは、書籍用ジャケットを書籍本体に装着させた際に書籍本体の背に対向する部分をいう。
【００２５】・「折り目形成部」とは、書籍用ジャケットを使用状態にするに際して折り目が形成されることが予定された部分をいう。
・「折り目形成ガイド」とは、折り目形成部の存在を構造的に明示するためのものであって、折り曲げのガイドとなる線、型押し、孔等が設けられた部分をいう。
【００２６】［第１の実施形態］
まず、書籍用ジャケットについて説明する。図１に示されたとおり、本実施形態の書籍用ジャケット１００は、通常の書籍用ジャケットと同様に、第１の袖部１Ａ、第１の本体部２Ａ、背部３、第２の本体部２Ｂ、及び第２の袖部１Ｂがこの順に連設されて構成されたものである。
【００２７】  書籍用ジャケット１００の表面（おもてめん；書籍本体に装着した際に外観として見える側の面）には、種々の情報が印刷されている。ここでは、図１（ａ）に示されたとおり、第１の袖部１Ａには書籍本体の内容紹介文４が、第１の本体部２Ａ及び背部３には書籍のタイトル５が、第２の袖部１Ｂには著者のプロフィール文６がそれぞれ印刷されている。ここで、各情報は、各部における天側（図示上側）の領域に寄せられて印刷されている。
【００２８】  一方、書籍用ジャケット１００の裏面（書籍本体に装着した際に書籍本体に対面する側の面）には、図１（ｂ）に示されたとおり、情報が印刷されていない。
【００２９】  なお、本実施形態では、第１の本体部２Ａに書籍のタイトルが印刷されていることから分かるとおり、本文が横書きである書籍本体（すなわち左開きの本）に装着する書籍用ジャケットを例にしている。また、図１では第１の袖部１Ａ、第１の本体部２Ａ、背部３、第２の本体部２Ｂ、及び第２の袖部１Ｂの各境界を破線で示しているが、これらは本明細書における各部の識別の便のために描かれたものであり、実際に書籍用ジャケット１０に破線が印刷されているのではない。
【００３０】  書籍用ジャケット１００の材質としては、紙又は樹脂が挙げられる。紙としては、例えば塗工紙、なかでも特にコート紙を用いることが好ましい。紙の厚さは、後述する舌片部７Ａ，７Ｂの強度を十分なものとする観点から、連量として四六判換算で１００ｋｇ〜２００ｋｇが好ましく、１１０ｋｇ〜１８０ｋｇがより好ましい。より具体的には、１１０ｋｇ、１３５ｋｇ、１８０ｋｇが挙げられる。また、紙の厚さは、メートル坪量としては１００ｇ／ｍ２〜２１０ｇ／ｍ２が好ましく、１２０ｇ／ｍ２〜２００ｇ／ｍ２がより好ましい。
【００３１】  第１の袖部１Ａ及び第２の袖部１Ｂの地側の領域内には、袖部１Ａ，１Ｂと同一面内において、それぞれ舌片部７Ａ，７Ｂが設けられている。舌片部７Ａ，７Ｂは、それぞれ袖部１Ａ，１Ｂの一部からなり、袖部１Ａ，１Ｂの縁から離間した位置において、地側に開放部が向けられたコ字型の切込みが袖部１Ａ，１Ｂに設けられることにより、袖部１Ａ，１Ｂ内の他の領域から画されて形成されたものである。図２（ａ）〜（ｃ）に示されたとおり、このコ字型の切込みにより、舌片部７Ａ，７Ｂは、コ字型の切込みの両端部間を渡す部分を基端とし袖部１Ａ，１Ｂの面の手前側又は奥側に動くことができる可動部８Ａ，８Ｂを天側へ向けて延在して有することとなっている。換言すれば、舌片部７Ａ，７Ｂを袖部１Ａ，１Ｂの他の領域から画して形成している上記切込みは、可動部８Ａ，８Ｂを包囲するように連続して延びている。なお、可動部８Ａ，８Ｂを動かしたとき、動かす前の可動部８Ａ，８Ｂが存在した跡地空間は、窓Ｗとなる。なお、図面には「８Ｂ」、「９Ｂ」、「１０Ｂ」の符号は現れていないが、これらの符号は、第２の袖部１Ｂに設けられた舌片部７Ｂ（図１参照）における、第１の袖部１Ａに設けられた舌片部７Ａ内の構造（「８Ａ」、「９Ａ」、「１０Ａ」）と同様のものを指していると想定されたい。
【００３２】  舌片部７Ａ，７Ｂは、上記基端として、袖部１Ａ，１Ｂの面内方向のうち天地方向に垂直な方向に延びる第１の折り目形成部９Ａ，９Ｂをそれぞれ有している。そして、舌片部７Ａ，７Ｂは、第１の折り目形成部９Ａ，９Ｂよりも天側の可動部８Ａ，８Ｂ内において、第１の折り目形成部９Ａ，９Ｂと平行に延びる第２の折り目形成部１０Ａ，１０Ｂをそれぞれ有している。なお、図２では第１の折り目形成部９Ａ，９Ｂ及び第２の折り目形成部１０Ａ，１０Ｂを破線で示しているが、これらは本明細書における識別の便のために描かれたものであり、実際に当該部分に破線が印刷されているのではない。
【００３３】  ここで、可動部８Ａ，８Ｂは、天地方向の長さが、上記基端（これは第１の折り目形成部９Ａ，９Ｂとされている部分でもある。）と袖部１Ａ，１Ｂの地側の縁との間の距離よりも長い。また、第１の折り目形成部９Ａ，９Ｂと第２の折り目形成部１０Ａ，１０Ｂとの間の距離（以下「距離Ａ」ともいう。）は、第１の折り目形成部９Ａ，９Ｂと書籍用ジャケット１００が書籍本体に装着された際の当該書籍本体の表表紙又は裏表紙の地側の辺との間の距離（以下「距離Ｂ」ともいう。）に等しいものとされている。舌片部７Ａ，７Ｂ周辺にこれらの長さ関係が成立していることによって、図２（ｄ）に示されたとおり、第１の折り目形成部９Ａ，９Ｂ及び前記第２の折り目形成部１０Ａ，１０Ｂの双方で谷折りで折り曲げた場合に、可動部８Ａ，８Ｂの天側の端部を、袖部１Ａ，１Ｂの地側の縁を乗り越えて袖部１Ａ，１Ｂの反対側の面に回り込ませることが可能とされている。ここで「谷折り」とは、書籍用ジャケット１００を表面からみた場合に谷折りとなる方向に折ることを指している。
【００３４】  ここで、距離Ａ及び距離Ｂの長さは、５ｍｍ〜１５ｍｍが好ましく、６ｍｍ〜１４ｍｍがより好ましく、７ｍｍ〜１３ｍｍが更に好ましく、８ｍｍ〜１２ｍｍが特に好ましい。可動部８Ａ，８Ｂの天地方向の長さは、２５ｍｍ〜４５ｍｍが好ましく、２７ｍｍ〜４３ｍｍがより好ましく、２８ｍｍ〜４１ｍｍが更に好ましく、２９ｍｍ〜３８ｍｍが特に好ましい。可動部８Ａ，８Ｂの天地方向に垂直な方向の幅は、１０ｍｍ〜４０ｍｍが好ましく、１２ｍｍ〜３５ｍｍがより好ましく、１３ｍｍ〜３０ｍｍが更に好ましく、１５ｍｍ〜２５ｍｍが特に好ましい。上記数値はいずれも、可動部８Ａ，８Ｂの取り扱いやすさ、見栄え、強度等に応じて適切に選択される。
【００３５】  袖部１Ａ，１Ｂにおける可動部８Ａ，８Ｂが設けられている位置としては、袖部１Ａ，１Ｂにおいて天地方向に垂直な方向の幅を１００等分した目盛を付したと仮定した場合に、可動部８Ａ，８Ｂの天地方向の中心線の位置が当該目盛の２０〜８０の位置にあることが好ましく、３０〜７０の位置にあることがより好ましい。この位置は、書籍用ジャケット１００の使用状態において書籍本体を支えるバランスの観点から選択される。
【００３６】  第１の袖部１Ａ及び第２の袖部１Ｂの天側の領域には舌片部は設けられていない。
【００３７】  次に、書籍用ジャケット１００の使用方法について説明する。
【００３８】  図３（ａ）に示されたとおり、一般に、書店で陳列及び販売されている書籍３００は、書籍本体２００に書籍用ジャケット１００が着脱可能に装着されたものである。書籍３００にあっては、袖部１Ａ，１Ｂと本体部２Ａ，２Ｂとの境界が折り曲げられ、袖部１Ａ，１Ｂが書籍本体２００の表表紙２０１の裏側及び裏表紙２０２の裏側（書籍本体２００の内部側）に回り込んでいる。ここで、書籍本体２００は、並製本であるとする。
【００３９】  書籍３００の読者は、図２（ｂ）に示されたとおり舌片部７Ａの可動部８Ａを持ち上げた後、第１の折り目形成部９Ａで谷折りで折り曲げる。そして、第２の折り目形成部１０Ａでも折り曲げる。この過程では、図３（ｂ）に示されたとおり、舌片部７Ａを第１の折り目形成部９Ａで限界まで折り曲げたとき、可動部８Ａのうち第１の折り目形成部９Ａと第２の折り目形成部１０Ａとの間の領域が、第１の折り目形成部９Ａと第１の袖部１Ａの地側の縁との間の領域に対面する。そして、可動部８Ａのうち第２の折り目形成部１０Ａよりも先端側の端部を、第１の本体部２Ａと書籍本体２００の表表紙２０１との間に挿し込みながら、第２の折り目形成部１０Ａで谷折りで限界まで折り曲げる。その結果、図３（ｃ）及び（ｄ）に示されたとおり、折り曲げる前に可動部８Ａの天側の先端であった端部が、第１の本体部２Ａと書籍本体２００の表表紙２０１との間に挟まれた状態、且つ、書籍本体２００の表表紙２０１が、可動部８Ａの端部と第１の袖部１Ａとの間に挟まれた状態となる。
【００４０】  そして、第２の袖部１Ｂ側の舌片部７Ｂについても、上記と同様の折り曲げ動作を行う。これらの動作により、書籍用ジャケット１００が使用状態となる。
【００４１】  以上に説明した書籍用ジャケット１００によれば、舌片部７Ａ，７Ｂの可動部８Ａ，８Ｂの天地方向の長さが、舌片部７Ａ，７Ｂの基端と袖部１Ａ，１Ｂの地側の縁との間の距離よりも長いため、書籍用ジャケット１００を書籍本体２００に取り付けた際に、可動部８Ａ，８Ｂの天側の端部が書籍本体２００の表表紙２０１側及び裏表紙２０２側に回り込むように舌片部７Ａ，７Ｂを折り曲げることができる。これにより、書籍本体２００の表表紙２０１及び裏表紙２０２の地側の縁が書籍用ジャケット１００の地側の縁から地側にはみ出すことが防止される。すなわち、書籍本体２００と書籍用ジャケット１００との天地方向のずれを防止することができる。
【００４２】  より詳細に述べると、書籍本体２００は書籍用ジャケット１００よりも通常重いこと、及び、書籍３００を手に取って開いて保持するときに指先で書籍３００に加えられる力の関係から、読書中に書籍本体２００が相対的に下向きに、書籍用ジャケット１００が相対的に上向きに移動して互いにずれてきて、読者が煩わしい思いをする。これに対し、本実施形態の書籍用ジャケット１００によれば、書籍本体２００の表表紙２０１及び裏表紙２０２の地側の縁が、折り曲げられた舌片部７Ａ，７Ｂに当接することにより、舌片部７Ａ，７Ｂが書籍本体２００の重量を支えることができるため、この相対的なずれのストッパーとして働き、当該ずれの発生を防止することができる。
【００４３】  本実施形態の書籍用ジャケット１００では、天側には舌片部が設けられていないため、反対向きのずれ、すなわち、書籍本体２００が相対的に上向きに、書籍用ジャケット１００が相対的に下向きに移動して互いにずれることを防止することはできない。とはいえ、書籍本体２００と書籍用ジャケット１００との重量の上記関係、及び、読者の手中における指先の力の入り具合からは、そのようなずれは通常生じないため、読者の煩わしさを取り除くには、舌片部７Ａ，７Ｂを地側のみに設けた本実施形態の態様で十分である。
【００４４】  ここで、特許文献１に開示された書籍用ジャケットでは、袖部の地側の領域内だけでなく天側の領域内にも外れ止め部（舌片部に相当）が設けられている。これは、書籍用ジャケットの天地方向の「ずれ」だけでなく全体的な「外れ」も生じないように考慮されたものであると考えられる。特許文献１では、天地方向の「ずれ」については「上下に移動」としか記載されていない。これに対し、本実施形態の書籍用ジャケット１００は、「ずれ」を単に「上下に移動」することとして捉えるのではなく、重力や指先の力の作用具合に由来して天地方向のずれに非対称性が存在すること、すなわち、実際には書籍本体２００が相対的に下向きに、書籍用ジャケット１００が相対的に上向きに移動しやすいことに着目し、これを防止することを達成したものである。
【００４５】  また、袖部１Ａ，１Ｂにおいては、書籍３００の内容紹介文４や著者のプロフィール文６が袖部１Ａ，１Ｂの天側の領域に寄せられて印刷されているため、袖部１Ａ，１Ｂに印刷された情報を読み取るのに舌片部７Ａ，７Ｂが邪魔になりにくい。また、舌片部７Ａ，７Ｂは袖部１Ａ，１Ｂの天側に設ける必要がないため、製造の手間が抑えられ、低コストでもある。また、天側を操作する必要がないため、書籍用ジャケット１００を使用状態とする際の手間も少ない。
【００４６】  また、舌片部７Ａ，７Ｂは、袖部１Ａ，１Ｂの面内方向のうち天地方向に垂直な方向に延び且つ互いに平行な第１の折り目形成部９Ａ，９Ｂ及び第２の折り目形成部１０Ａ，１０Ｂで折り曲げられるため、可動部８Ａ，８Ｂの端部を袖部１Ａ，１Ｂの地側の縁を乗り越えて袖部１Ａ，１Ｂの反対側の面に回り込ませる場合に、外観の形状良く可動部８Ａ，８Ｂの端部を収めることができる。
【００４７】  また、第１の折り目形成部９Ａ，９Ｂと第２の折り目形成部１０Ａ，１０Ｂとの間の距離は、第１の折り目形成部９Ａ，９Ｂと書籍用ジャケット１００が書籍本体２００に装着された際の書籍本体２００の表表紙２０１又は裏表紙２０２の地側の辺との間の距離に等しくされているため、第２の折り目形成部１０Ａ，１０Ｂでの折り曲げ位置が、袖部１Ａ，１Ｂの地側の縁の位置に一致する。これによれば、書籍３００の地側における可動部８Ａ，８Ｂのはみ出しが最小となるため、外観の見栄えが良いし、書籍３００を本棚等に立てて収納する際に邪魔になりにくい。
【００４８】  また、舌片部７Ａ，７Ｂは、袖部１Ａ，１Ｂの一部からなり、袖部１Ａ，１Ｂに設けられた切込みにより袖部１Ａ，１Ｂ内の他の領域と画されて形成されたものであるため、舌片部７Ａ，７Ｂを設けるための他の部材が不要であるため製造しやすく、省資源でもある。ここで、当該切込みは、可動部８Ａ，８Ｂを包囲するように連続して延びているため、書籍用ジャケット１００が装着された書籍３００の読者が、舌片部７Ａ，７Ｂ及びその可動部８Ａ，８Ｂが書籍用ジャケット１００の袖部１Ａ，１Ｂに設けられていることを容易に認識することができる。
【００４９】  また、書籍本体２００としての並製本は、表紙が柔らかい。このため、可動部８Ａ，８Ｂの端部を第１の本体部２Ａと表表紙２０１との間に挿し込む際に、表表紙２０１を反らせることにより、第１の本体部２Ａと表表紙２０１との間の空間を広く開けることができる。従って、書籍本体が上製本である場合と比べて挿し込み操作を容易に行える。
【００５０】  また、並製本は、書籍３００を読んでいる最中は、読者の手の中では表紙２０１，２０２が書籍用ジャケット１００とともに反った状態であるのが通常である。書籍用ジャケット１００の使用状態にあっては、舌片部７Ａ，７Ｂの可動部８Ａ，８Ｂが表紙２０１，２０２の反りに追従して反ることになる。このため、読書中に可動部８Ａ，８Ｂが折り戻されて使用状態が解除されてしまうことが防止される。
【００５１】  次に、本実施形態の変形例を紹介する。
【００５２】  上記実施形態では、舌片部７Ａ，７Ｂは切込みが袖部１Ａ，１Ｂに設けられることにより袖部１Ａ，１Ｂ内の他の領域と画されて形成された態様を示したが、図４に示されたとおり、切込みは、これに代えてミシン目（図４（ａ））、スリット（図４（ｂ））、連続する孔（図４（ｃ））、又は、切込みとミシン目の組み合わせ（図４（ｄ））等であってもよい。ここで「スリット」とは、切込みとは異なり、幅を有する打ち抜き状の隙間をいう。なお、図４、及び、以下に説明する図５〜７においては、煩雑さを避けるために、一部の符号を付していないことに留意されたい。
【００５３】  また、上記実施形態では、切込みが可動部８Ａ，８Ｂを包囲するように連続して延びている態様を示したが、連続して延びているうちの少なくとも一箇所で不連続な部分を有していてもよい。例えば、図５に示されたとおり、天側の頂点部分に不連続な部分を有していてもよく（図５（ａ），（ｂ）及び（ｃ））、その他の部分に不連続な部分を有していてもよい（図５（ｄ））。これらの場合、舌片部７Ａ，７Ｂにまだ折り目を付けていないときに（例えば、書店で陳列されている書籍を客が手に取ったときに）、可動部８Ａ，８Ｂがヒラヒラ動いて不意に無用の折り目がついたり破れたりすることが防止される。
【００５４】  また、図６に示されたとおり、上記実施形態の第１の袖部１Ａにおいて、第１の折り目形成部９Ａに沿って、この上に第１の折り目形成ガイド１９Ａを設け、且つ、第２の折り目形成部１０Ａに沿って、この上に第２の折り目形成ガイド２０Ａを設けた態様としてもよい。例えば、第１の折り目形成ガイド１９Ａ及び第２の折り目形成ガイド２０Ａとして直線状の型押しによる肉薄部分を設けてもよく（図６（ａ））、線（ここでは破線）や文字（ここでは「谷折り」の文字）を印刷してもよく（図６（ｂ））、孔を設けてもよく（図６（ｃ））、これらの組み合わせを設けてもよい（図６（ｄ））。第１の折り目形成ガイド１９Ａ及び第２の折り目形成ガイド２０Ａは、第１の折り目形成部９Ａ及び第２の折り目形成部１０Ａの存在を構造的に明示して舌片部７Ａを折り曲げやすくするための構造であるため、これらによれば、第１の折り目形成部９Ａ及び第２の折り目形成部１０Ａでの山折り又は谷折りを適切な位置で容易に行うことができる。なお、このとき同様に、第２の袖部１Ｂにおいても、第１の折り目形成部９Ｂに沿って、この上に第１の折り目形成ガイドを設け、且つ、第２の折り目形成部１０Ｂに沿って、この上に第２の折り目形成ガイドを設ける。
【００５５】  また、上記実施形態では切込みがコ字型である態様、すなわち可動部８Ａ，８Ｂが矩形である態様を示したが、切込みは、他の形状、例えば人工物、自然物、ヒト、動物等を象った形状でもよい。例えば、図７に示されたとおり、徳利のような形状でもよく（図７（ａ））、岩のような形状でもよく（図７（ｂ））、ヒトのような形状でもよく（図７（ｃ））、猫のような形状でもよい（図７（ｄ））。これらの場合、視覚的に楽しく、この書籍用ジャケットが装着されている書籍の購入意欲が湧くことが期待される。また、これらの形状を有する可動部又は舌片部に対して、線を描いたり色を付けたりすると、視覚的に一層楽しいものとなる。
【００５６】  使用方法についての変形例としては、第１の折り目形成部９Ａ，９Ｂにおける折り目を谷折りに代えて山折りにする態様が挙げられる。この場合、図８に示されたとおり、可動部８Ａ，８Ｂの端部が袖部１Ａ，１Ｂの地側の縁を乗り越えるのではなく、可動部８Ａ，８Ｂが折り畳まれるようにして、書籍本体２００の表紙２０１，２０２の受け入れ口が形成される。使用状態では、折り畳まれた可動部８Ａ，８Ｂの間に書籍本体２００の表紙２０１，２０２が挟まれた状態となる。なお、図８は、書籍用ジャケット１００の第１の本体部２Ａを省略して描かれている。
【００５７】  また、使用方法の変形例としては、書籍用ジャケット１００を書籍本体２００に装着する前にあらかじめ舌片部７Ａ，７Ｂを折り曲げた状態にしておいてもよい。上記実施形態では、書籍本体２００が並製本であるとはいえ、可動部８Ａ，８Ｂの端部を本体部２Ａ，２Ｂと表紙２０１，２０２との間に挿し込むのに手間取ることがある。そこで、あらかじめ舌片部７Ａ，７Ｂを折り曲げた状態にしておくことにより、書籍本体２００の表紙２０１，２０２をその可動部８Ａ，８Ｂの端部と袖部１Ａ，１Ｂとの間に挿し込むことにより、書籍用ジャケット１００を書籍本体２００に容易に装着し、使用状態とすることができる。
【００５８】［第２の実施形態］
次に、本発明の第２の実施形態について説明する。第２の実施形態の書籍用ジャケットが第１の書籍用ジャケットと異なる点は、舌片部が袖部の一部から構成されているのではなく、別部材が袖部に固定されることにより構成されている点である。以下、第１の実施形態との相違点を中心に説明する。
【００５９】  図９に示されたとおり、本実施形態の書籍用ジャケット１１０は、第１の実施形態の書籍用ジャケット１１０と同様に、第１の袖部１Ａ、第１の本体部２Ａ、背部３、第２の本体部２Ｂ、及び第２の袖部１Ｂがこの順に連設されて構成されたものである。書籍用ジャケット１００の裏面は、図９（ｂ）に示されたとおり、情報が印刷されていないばかりか、形状についても従来の書籍用ジャケットと何ら変わりがないようにみえる。
【００６０】  一方、書籍用ジャケット１１０の表面（おもてめん）においては、図９（ａ）に示されたとおり、第１の袖部１Ａ及び第２の袖部１Ｂの地側の領域にそれぞれ舌片部１７Ａ，１７Ｂが設けられている。舌片部１７Ａ，１７Ｂは、矩形の紙片からなり、当該紙片は、天地方向が長手方向となる向きにされ、地側の端部において、接着剤により袖部１Ａ，１Ｂに固定された固定部１１Ａ，１１Ｂを有している。図１０（ａ）〜（ｃ）に示されたとおり、舌片部１７Ａ，１７Ｂは、固定部１１Ａ，１１Ｂの天側の限界の部分を基端とし袖部１Ａ，１Ｂの面の手前側（表面側）に動くことができる可動部８Ａ，８Ｂを天側へ向けて延在して有することとなっている。なお、可動部８Ａ，８Ｂが動いた跡地空間は、窓とはならず、袖部１Ａ，１Ｂの隠れていた領域が見えるようになるだけである。
【００６１】  舌片部１７Ａ，１７Ｂは、上記基端として、袖部１Ａ，１Ｂの面内方向のうち天地方向に垂直な方向に延びる第１の折り目形成部９Ａ，９Ｂを有している。そして、舌片部１７Ａ，１７Ｂは、第１の折り目形成部９Ａ，９Ｂよりも天側の可動部８Ａ，８Ｂ内において、第１の折り目形成部９Ａ，９Ｂと平行に延びる第２の折り目形成部１０Ａ，１０Ｂを有している。なお、図１０では第１の折り目形成部９Ａ，９Ｂ及び第２の折り目形成部１０Ａ，１０Ｂを破線で示しているが、これらは本明細書における識別の便のために描かれたものであり、実際に当該部分に破線が印刷されているのではない。
【００６２】  舌片部１７Ａ，１７Ｂは、第１の折り目形成部９Ａ，９Ｂ及び第２の折り目形成部１０Ａ，１０Ｂで谷折りされることで、図１０（ｄ）に示されたとおり、可動部８Ａ，８Ｂの端部が袖部１Ａ，１Ｂの地側の縁を乗り越えて袖部１Ａ，１Ｂの反対側の面に回り込ませることが可能とされている。書籍用ジャケット１１０の使用状態ではこのような形状とされる。
【００６３】  本実施形態では、袖部１Ａ，１Ｂの資材の都合に関わらず、舌片部１７Ａ，１７Ｂを袖部１Ａ，１Ｂとは別の部材として用意するため、可動部８Ａ，８Ｂの強度等に関する設計の自由度が高い。
【００６４】  なお、舌片部１７Ａ，１７Ｂの固定部１１Ａ，１１Ｂを袖部１Ａ，１Ｂに固定する手段としては、接着剤に限られない。また、舌片部１７Ａ，１７Ｂの形状については、第１の実施形態と同様に、様々な形状に象ってもよい。
【００６５】  以上、本発明の好適な実施形態について説明したが、本発明は上記実施形態に何ら限定されるものではない。「特許請求の範囲」に規定された事項の範囲内において、具体的な実施形態を様々に構成することが可能である。
【産業上の利用可能性】
【００６６】  本発明は、書書籍用ジャケットを備える書籍について利用可能である。
【符号の説明】
【００６７】１Ａ              …第１の袖部
１Ｂ              …第２の袖部
２Ａ              …第１の本体部
２Ｂ              …第２の本体部
３                …背部
４                …内容紹介文
５                …書籍のタイトル
６                …著者のプロフィール文
７Ａ，７Ｂ        …舌片部
８Ａ，８Ｂ        …可動部
９Ａ，９Ｂ        …第１の折り目形成部
１０Ａ，１０Ｂ    …第２の折り目形成部
１１Ａ，１１Ｂ    …固定部
１７Ａ，１７Ｂ    …舌片部
１９Ａ            …第１の折り目形成ガイド
２０Ａ            …第２の折り目形成ガイド
１００            …書籍用ジャケット
１１０            …書籍用ジャケット
２００            …書籍本体
２０１            …表表紙
２０２            …裏表紙
３００            …書籍
Ｗ                …窓
【要約】
【課題】書籍本体と書籍用ジャケットとの天地方向のずれを防止するとともに、製造の手間を抑えた低コストで、且つ、袖部に印刷された情報を読み取るのに邪魔になりにくい書籍用ジャケットを提供する。
【解決手段】本発明の書籍用ジャケット１００は、第１の袖部１Ａ、第１の本体部２Ａ、背部３、第２の本体部２Ｂ、及び第２の袖部１Ｂがこの順に連設されてなる書籍用ジャケットであって、第１の袖部１Ａ及び第２の袖部１Ｂの少なくとも一方は、当該袖部１Ａ，１Ｂの天側の領域ではなく地側の領域のみにおいて、天地方向に延在するように設けられた舌片部７Ａ，７Ｂを備える。舌片部７Ａ，７Ｂは、地側を基端とし当該袖部１Ａ，１Ｂの面の手前側又は奥側に動く可動部８Ａ，８Ｂを天側へ向けて延在して有する。可動部８Ａ，８Ｂは、天地方向の長さが、基端と当該袖部１Ａ，１Ｂの地側の縁との間の距離よりも長い。
【選択図】図１【図１】
0005527707.tif 000002
【図２】
0005527707.tif 000003
【図３】
0005527707.tif 000004
【図４】
0005527707.tif 000005
【図５】
0005527707.tif 000006
【図６】
0005527707.tif 000007
【図７】
0005527707.tif 000008
【図８】
0005527707.tif 000009
【図９】
0005527707.tif 000010
【図１０】
0005527707.tif 000011